(57)【要約】  本発明はバスケットボール台に関し、より詳しくは、動力によって移動可能な競技用移動式バスケットボール台に関する。このような本発明による競技用移動式バスケットボール台は、ベースと、このベースに設置される支柱と、支柱の上端に設置されるバックボードと、このバックボードの下部に設置されるリムとで構成されるバスケットボール台において、ベースは内部に収容空間が具備され、この収容空間に複数のバーからなるフレームが設置され、一側に位置するようにフレームに一対の従動輪が設置され、収容空間に位置するようにフレームの中間に固設されると同時に、回転軸に第１プーリが備えられたモーターと；フレームの他側部に固設されたベアリングユニットによって収容空間に回転可能に設置され、第２プーリが形成されたシャフトと；シャフトの両端に固設される駆動輪と；第１プーリと第２プーリに設置されるベルトとで構成された移動手段が含まれる。
2013517832.tif 000002
【特許請求の範囲】
【請求項１】
ベースと、このベースに設置される支柱と、前記支柱の上端に設置されるバックボードと、このバックボードの下部に設置されるリムとで構成されるバスケットボール台において、
前記ベースは内部に収容空間が具備され、この収容空間に複数のバーからなるフレームが設置され、一側に位置するように前記フレームに一対の従動輪が設置され、前記収容空間に位置するように前記フレームの中間に固設されると同時に、回転軸に第１プーリが備えられたモーターと、前記フレームの他側部に固設されたベアリングユニットによって前記収容空間に回転可能に設置され、第２プーリが形成されたシャフトと、前記シャフトの両端に固設される駆動輪と、前記第１プーリと第２プーリに設置されるベルトとで構成された移動手段；及び
前記フレームの一側底面に下向きに突出形成され、下端に係止突起が形成された垂直軸と、前記垂直軸に回転可能に設置される回転体と、一端が前記回転体に連結された棒の前端に回転可能に設置された一対の従動輪と、一端は前記回転体と固定連結される連結片と、前記従動輪の間に位置するように一端が前記フレームに回転可能に設置され、他端は把持可能に外部に露出されて設置される回動バーと、両端はそれぞれ前記連結片の末端と回転可能に設置され、本体の中間は前記回動バーの中央と回転可能に設置される連結バーとで構成される操向手段；が含まれることを特徴とする競技用移動式バスケットボール台。
【請求項２】
前記モーターを操作するコントローラが前記ベースの一側面に備えられることを特徴とする請求項１に記載の競技用移動式バスケットボール台。
【請求項３】
前記コントローラはリモートコントローラからなることを特徴とする請求項２に記載の競技用移動式バスケットボール台。
【発明の詳細な説明】
【技術分野】
【０００１】
本発明はバスケットボール台に関し、より詳しくは、動力によって動く競技用移動式バスケットボール台に関する。
【背景技術】
【０００２】
一般的にバスケットボール台はベースと、支柱と、バックボード及びリムで構成されている。
【０００３】
このような従来のバスケットボール台はベースが地面と接触されており、その重量が重く、多くの人が持ち運ばなければならないため、移動性が低下する問題点があった。
【０００４】
このような問題点を解決するために、ベースに輪が備えられた移動式バスケットボール台が提案された。このような移動式バスケットボール台は、輪がベースに収容されている状態で、輪が下向きに移送されてバスケットボール台の移動が可能な移動式バスケットボール台に関するものであった。
【０００５】
また、バスケットボール台が自動に動くのではなく、人が押して移動させる構成であるので、持って運ぶ時に比べて作業者が少ないが、それでも相当重いバスケットボール台を移動させるためには多数の人が必要になって移動が容易でない問題点があった。
【発明の概要】
【発明が解決しようとする課題】
【０００６】
本発明は前記した従来技術による諸般問題点を解決するために提案されたもので、粗大で重い競技用バスケットボール台の移動人力を最小化するためにモーターの動力を利用して輪を転がすことによって自動に動く競技用移動式バスケットボール台に関する。
【０００７】
また、操向手段をさらに備えて、移動方向を調整することができる競技用移動式バスケットボール台に関する。
【課題を解決するための手段】
【０００８】
前記した目的を達するための本発明による競技用移動式バスケットボール台は、ベースと、このベースに設置される支柱と、前記支柱の上端に設置されるバックボードと、このバックボードの下部に設置されるリムで構成されたバスケットボール台において、前記ベースは内部に収容空間が具備され、この収容空間に複数のバーからなるフレームが設置され、一側に位置するように前記フレームに一対の従動輪が設置され、前記収容空間に位置するように前記フレームの中間に固設されると同時に、回転軸に第１プーリが備えられたモーターと；前記フレームの他側部に固設されたベアリングユニットによって前記収容空間に回転可能に設置され、第２プーリが形成されたシャフトと；前記シャフトの両端に固設される駆動輪と；前記第１プーリと第２プーリに設置されるベルトとで構成された移動手段が含まれることを特徴とする。
【０００９】
また、前記モーターを操作するコントローラが前記ベースの一側面に備えられることを特徴とする。
【００１０】
また、前記コントローラはリモートコントローラからなることを特徴とする。
【００１１】
また、前記バスケットボール台に操向手段がさらに備えられることを特徴とする。
【００１２】
また、前記操向手段は前記フレームの一側底面に下向きに突出形成され、下端に係止突起が形成された垂直軸と、前記垂直軸に回転可能に設置される回転体と、一端が前記回転体に連結された棒の前端に回転可能に設置された一対の従動輪と、一端は前記回転体と固定連結される連結片と、前記従動輪の間に位置するように一端が前記フレームに回転可能に設置され、他端は把持可能に外部に露出されて設置される回動バーと、両端はそれぞれ前記連結片の末端と回転可能に設置され、本体の中間は前記回動バーの中央と回転可能に設置される連結バーとからなることを特徴とする。
【発明の効果】
【００１３】
以上で説明したように、本発明による競技用移動式バスケットボール台は、モーターの駆動によって駆動輪が回転することによって簡便にバスケットボール台が移動可能な効果を奏する。
【００１４】
また、モーターの動力を利用することによって従来のように多数の作業者が必要のない効果を奏する。
【００１５】
また、コントローラまたはリモートコントローラが備えられることによって、操作が簡便で、リモートコントロールが可能な効果を奏する。
【００１６】
また、操向手段がさらに備えられることによって、直線往復移動ではない自由移動が可能な効果がある。
【図面の簡単な説明】
【００１７】
【図１】本発明による競技用移動式バスケットボール台を示した斜視図である。
【図２】本発明による競技用移動式バスケットボール台の一部を示した正断面図である。
【図３】図２の側断面図である。
【図４】図２の平断面図である。
【図５】コントローラがさらに備えられた状態を示した図面である。
【図６】リモートコントローラがさらに備えられた状態を示した図面である。
【図７】操向手段がさらに備えられた状態を示した図面である。
【図８】図７の平断面図である。
【図９】位置固定装置がさらに備えられた状態を示した図面である。
【図１０】移動手段が駆動された状態を示した図面である。
【図１１】操向手段の操作状態を示した図面である。
【発明を実施するための形態】
【００１８】
以下、本発明による競技用移動式バスケットボール台の好ましい実施例を添付した図面を参照して説明すれば次の通りである。
【００１９】
図１は本発明による競技用移動式バスケットボール台を示した斜視図で、図２は本発明による競技用移動式バスケットボール台の一部を示した正断面図である。図３は図２の側断面図で、図４は図２の平断面図で、図５はコントローラがさらに備えられた状態を示した図面で、図６はリモートコントローラがさらに備えられた状態を示した図面で、図７は操向手段がさらに備えられた状態を示した図面で、図８は図７の平断面図で、図９は位置固定装置がさらに備えられた状態を示した図面で、図１０は移動手段が駆動された状態を示した図面で、図１１は操向手段の操作状態を示した図面である。
【００２０】
本発明による競技用移動式バスケットボール台は、図１〜図４に示したように、ベース１０と、このベース１０に設置される支柱２０と、前記支柱２０の上端に設置されるバックボード３０と、このバックボード３０の下部に設置されるリム４０及び前記ベース１０に設置される移動手段５０からなる。
【００２１】
前記ベース１０は底面が開放されるように内部に収容空間１１が具備され、この収容空間１１に複数のバーからなるフレーム１２が設置される。そして、前記ベース１０の一側に位置するように一対の従動輪１３が設置される。
【００２２】
前記フレーム１２は前記従動輪１３と、後述する移動手段５０のモーター５１及びベアリングユニットＢが設置されることができるように複数のバーが連結されてなり、Ｈ状に形成されることが好ましい。即ち、フレーム１２は一対の第１バー１２−１と、前記第１バー１２−１を連結する第２バー１２−２とで構成され、第１バー１２−１の一側には従動輪１３が、他側にはベアリングユニットＢが設置され、第２バー１２−２にはモーター５１が設置される。
【００２３】
前記従動輪１３は第１バー１２−１の一側下面に突出形成された突起に設置される。
【００２４】
前記支柱２０、バックボード３０、リム４０は一般的な構成であるので、詳細な図面及び説明は省略する。
【００２５】
前記移動手段５０は動力によってバスケットボール台を移動させる構成であり、このような移動手段５０は、大きくモーター５１と、シャフト５２と、駆動輪５３と、ベルト５４とからなる。
【００２６】
前記モーター５１は前記ベース１０の収容空間１１に位置するように前記フレーム１２の第２バー１２−２の中央上面に固設されると同時に、回転軸５１−１に第１プーリ５１−２が具備されて、正逆駆動の時、後述する駆動輪５３を正逆回転させる。
【００２７】
前記シャフト５２は前記フレーム１２の第１バー１２−１の他側底面に固設されたベアリングユニットＢによって前記ベース１０の収容空間１１に回転可能に水平設置され、中央一側に第２プーリ５２−１が形成される。
【００２８】
このようなシャフト５２は、前記モーター５１の駆動の時、後述するベルト５４を通じて伝達される動力によって回転される。
【００２９】
前記駆動輪５３は前記シャフト５２の両端に固設されて、前記シャフト５２の回転の時連動して回転することによってバスケットボール台を前進または後進させる。
【００３０】
前記ベルト５４は、前記モーター５１の第１プーリ５１−２と、前記シャフト５２の第２プーリ５２−１に設置されて、モーター５１の駆動の時、モーター５１の動力を前記シャフト５２に伝達する。
【００３１】
一方、図５に示すように、前記モーター５１の駆動を操作するコントローラ６０が前記ベース１０の一側面に備えられることが好ましく、このようなコントローラ６０はモーターの正駆動ボタンと、逆駆動ボタンと、停止ボタンが備えられた一般的な構成であるので、詳細な説明及び図面は省略する。
【００３２】
そして、前記コントローラ６０は、図６に示すように、遠隔調整が可能なリモートコントローラ６０’からなることもできる。
【００３３】
また、本発明による競技用移動式バスケットボール台は、前後移動だけではなく、移動方向を調整することができるように、図７〜図８に示すように、操向手段７０がさらに備えられることが好ましく、この時、フレーム１２は後述する操向手段７０の回動バー７５を容易に設置するように一対の第１バー１２−１の一側を連結する第３バー１２−３がさらに具備されて台形に形成されることが好ましい。
【００３４】
前記操向手段７０は、前記フレーム１２の第１バー１２−１の一側底面に下向きに突出形成され、下端に係止突起７１−１が形成された一対の垂直軸７１と、前記垂直軸７１が収容される中空７２−１が具備され、前記係止突起７１−１に安着されるとともに、回転可能に設置される回転体７２と、一端が前記回転体７２に連結された棒７３の前端に回転可能に設置される一対の従動輪１３と、一端は前記回転体７２と固定連結される連結片７４と、前記従動輪１３の間に位置するように一端が前記フレーム１２の第３バー１２−３の中央に回転可能に設置され、他端は把持可能に外部に露出されて設置される回動バー７５と、両端はそれぞれ前記連結片７４の末端と回転可能に設置され、本体の中間は前記回動バー７５の中央と回転可能に設置される連結バー７６とで構成される。
【００３５】
一方、本発明による競技用移動式バスケットボール台は、外部圧力によって設置された場所から離脱することを防止できるように位置固定装置８０がさらに備えられることができる。
【００３６】
このような位置固定装置８０は、図９に示すように、ベース１０に垂直にねじ締結されたボルト８１に備えられた把持棒８２を取って回転させるとボルト８１が下降するようになり、このボルト８１の下端に設置されたパッド８３が地面と接触してバスケットボール台の位置移動を制限する。
【００３７】
このような位置固定装置８０は前記ねじタイプ以外に油圧式またはリンクタイプなど多様な構成からなることができる。
【００３８】
前記本発明による競技用移動式バスケットボール台の使用状態を図１０〜図１１を参照して説明すれば次の通りである。
【００３９】
まず、コントローラ６０を操作して移動手段５０のモーター５１を駆動すれば、回転軸５１−１と、この回転軸５１−１に設置された第１プーリ５１−２が連動する。
【００４０】
この時、第１プーリ５１−１と、第２プーリ５２−１に設置されたベルト５４によってモーター５１の動力がシャフト５２に伝達されてシャフト５２が回転をするようになり、これによって前記シャフト５２の両端に設置された駆動輪５３が回転することによってバスケットボール台が移動される。
【００４１】
前記のように、バスケットボール台が移送されて所望の位置に到逹すればコントローラ６０を操作して移動手段５０のモーター５１の駆動を停止させる。
【００４２】
そして、操向手段７０が備えられると、移動手段５０のモーター５１の駆動によって駆動輪５３が回転してバスケットボール台が移動する時、操向手段７０の回動バー７５の他端を把持した後、回動バー７５を回転させて進行方向を調整することができる。
【００４３】
即ち、回動バー７５の他端を把持して回転させると、連結バー７６によって連結片７４が回転するようになり、これにより垂直軸７１に回転可能に設置された回転体７２も垂直軸７１を基点に回転するようになる。従って、棒７３によって回転体７２と連結された従動輪１３が回転してバスケットボール台の進行方向が調整される。
【００４４】
このような回動バー７５の操作を通じてバスケットボール台が所望の位置に到逹すると、コントローラ６０を操作して移動手段５０のモーター５１の駆動を停止させる。
【００４５】
そして、位置固定手段８０の把持棒８２を取って回転すると、ベース１０にねじ締結されたボルト８１が下向きに移動されてこのボルト８１の下端に設置されたパット８３が地面と接触するようになり、これにより外圧によってバスケットボール台が動くことを防止する。
【符号の説明】
【００４６】
１０  ベース
１１  収容空間
１２  フレーム
１２−１  第１バー
１２−２  第２バー
１２−３  第３バー
２０  支柱
３０  バックボード
４０  リム
５０  移動手段
５１  モーター
５１−１  回転軸
５１−２  第１プーリ
５２  シャフト
５２−１  第２プーリ
５３  駆動輪
５４  ベルト
６０  コントローラ
６０’  リモートコントローラ
７０  操向手段
７１  垂直軸
７１−１  係止突起
７２  回転体
７２−１  中空
７３  棒
７４  連結片
７５  回動バー
７６  連結バー
８０  位置固定装置
８１  ボルト
８２  把持棒
８３  パット
Ｂ  ベアリングユニット
【図１】
2013517832.tif 000003
【図２】
2013517832.tif 000004
【図３】
2013517832.tif 000005
【図４】
2013517832.tif 000006
【図５】
2013517832.tif 000007
【図６】
2013517832.tif 000008
【図７】
2013517832.tif 000009
【図８】
2013517832.tif 000010
【図９】
2013517832.tif 000011
【図１０】
2013517832.tif 000012
【図１１】
2013517832.tif 000013
【国際調査報告】
2013517832.tif 000014
2013517832.tif 000015
2013517832.tif 000016
2013517832.tif 000017